(57)【特許請求の範囲】
【請求項１】
下水道管渠の途中に雨水吐室を設け、この雨水吐室に接続した放流管渠の流入口前に越流堰を設けると共に、この越流堰の手前にタバコのフィルターや落葉等の微細ゴミの縦型除塵スクリーンを配置し、且つ上方に傾斜している上段レーキ部と下方に傾斜させた下段レーキ部を、前記除塵スクリーンと噛み合わせた櫛歯状の除塵レーキを昇降装置と連繋させると共に、この櫛歯状の除塵レーキに下流側に傾斜させたゴミ受け樋を設けたことを特徴とする放流管渠の往復式除塵装置。
【請求項２】
前記除塵スクリーンは、線材を用い、各線材の下端を、櫛歯状に配置したバーブラケットにそれぞれ熔接し、上端をバー保持桁に挿通し、ナット等の緊張金具で張設して微小間隔の除塵スクリーンとしたものであることを特徴とする請求項１記載の放流管渠の往復式除塵装置。
【発明の詳細な説明】
【技術分野】
【０００１】
本発明は、合流管渠から汚水流出管渠を経て、処理場へ流れる汚水路の途中に分岐接続した放流管渠の入り口に設けるタバコのフィルターや落葉等の微細ゴミの除塵装置に関するものである。
【背景技術】
【０００２】
周知のように、下水道において、入口に除塵スクリーンを配置した放流管渠を設けて、増水時に増水時に増水分を放流管渠に分流して、越流雨水を直接、公共水域に放流しているが、その場合の除塵装置として大型ゴミ（３０ｍｍ以上）の除去については、各種の装置が提供されている。
【０００３】
近年、水の浄化、放流水面の汚染防止および小型ポンプの普及により、タバコのフィルターや落葉等の微細ゴミが公共水域を汚染する虞があるとして、それらの除去が要求される傾向が増加している。
【０００４】
今迄に、これら微細ゴミの除去に、ネットを利用する例があるが、ネットに付着したゴミの洗浄には時間と費用を要し、目詰まり等により実用性に乏しいものが多い。
【特許文献１】特開２００２−３１７４２８号公報
【発明の開示】
【発明が解決しようとする課題】
【０００５】
そこで本発明は、除塵スクリーン上に分離された前記微細ゴミの除去を水流の助けを借りて自動的に除去される放流管渠の除塵装置を提供することを課題とするものである。
【課題を解決するための手段】
【０００６】
本発明は上記の課題を解決するためになされたもので、下水道管渠の途中に雨水吐室を設け、この雨水吐室に接続した放流管渠の流入口前に越流堰を設けると共に、この越流堰の手前にタバコのフィルターや落葉等の微細ゴミの縦型除塵スクリーンを配置し、且つこの除塵スクリーンと噛み合わせた櫛歯状の除塵レーキを昇降装置と連繋させると共に、この櫛歯状の除塵レーキにゴミ受け樋を設けたことを特徴とする放流管渠の往復式除塵装置である。
【０００７】
前記ゴミ受け樋は下流側に傾斜させて設けることが好ましい。
【０００８】
また、除塵スクリーンは、ステンレス製の線材（例えばφ６ｍｍ）を用い各線材の下端を、櫛歯状に配置したバーブラケットにそれぞれ熔接し、上端をバー保持桁に挿通し、ナット等の緊張金具で張設してスクリーンバーを小間隔（例えばバーピッチ１５ｍｍ）で配置し、夾雑物の掻き取りを容易にした。
【０００９】
また、除塵レーキは掻き上げ用と掻き下げ用のものを２段にそれぞれ上向き、下向きに設け、掻き取りを助ける構成とした。
【００１０】
以上、本発明によれば、除塵レーキを上下にのみ往復させる構造が簡易な縦方向掻き上げ型往復除塵装置を使用するため、故障が少なく保守コストが少なくて済むと共に、下水道管渠に浮遊するタバコのフィルターや落葉等の微細ゴミは放流管渠に流入する前に除塵スクリーンによって、放流管渠に流入るすのを阻止され、除塵スクリーンに付着した微細ゴミは櫛歯状の除塵レーキを上昇することによってゴミ受け樋上に掻き落され、ゴミ受け樋上に掻き落された微細のゴミは水流によって下流へと流される。
【００１１】
そして、ゴミ受け樋上の微細ゴミは、ゴミ受け樋を下流側に傾斜させることにより、効率よく、水流により下流へ排除させることが出来る。
【００１２】
また、除塵スクリーンを線材（スクリーンバー）を以って構成し、一端を緊張金具により固定することにより、プレテンションを発生させて張力を保持させることにより、除塵スクリーンの細かいメッシュを保つことができ、タバコのフィルターや落葉等の微細ゴミを除塵スクリーンで捕らえることができ、しかも除塵レーキによる付着した微細ゴミの除去が容易になる。
【００１３】
又、櫛歯状の除塵レーキは、掻き上げ用の上段レーキ部と掻き落し用の下段レーキ部を備えているので、微細ゴミを除塵スクリーンから、効果的に掻き落すことができる除塵装置を提供することが出来る。
【実施例１】
【００１４】
図１は、本発明の一実施例の縦断正面図を示し、図２は、図１のＡ−Ａ線断面図、図３は図１のＢ−Ｂ線の一部截断面図、図４は図３のＸ部の拡大平面図、図５は図２の一部拡大説明図、図６はバーブラケットの拡大平面図である。
【００１５】
図において、１は下水道管渠の途中に設けられた雨水吐室で、上流側の合流管渠１ａと、微細ゴミを含んだ下水を下流側の汚水処理場へ排水させるための汚水流出管渠１ｂと、微細ゴミを除去した下水を一般河川に排水させる放流管渠１ｃが、図３に示すように接続されている。
【００１６】
ぞして、放流管渠１ｃの流入口前には、越流堰１ｄが設けられ（図２参照）、更に越流堰１ｄ前に縦方向掻き上げ型往復式除塵機２が設けられている。
【００１７】
往復式除塵機２は、除塵スクリーン３と、手動昇降装置４によって昇降する上段レーキ部５ａと下段レーキ部５ｂとからなる櫛歯状の除塵レーキ５とから構成されている。そして上段レーキ部５ａは図５に示したように上方に傾斜し、下段レーキ部５ｂは、下方に傾斜している。また除塵スクリーン３は、ステンレス製の線材（例えばφ６ｍｍ）を用いたスクリーンバー３ａを、図６に示すように櫛歯状に配置したバーブラケット６に下端を熔接し、上段はバー保持桁７に設けた透孔７ａに挿通し、ナット８でプレテンションを与えて止め、スクリーンバー３ａを小間隔（例えばバーピッチ１５ｍｍ）に配置された除塵スクリーンとしたものである。
【００１８】
除塵レーキ５の除塵スクリーン３の前面側にはゴミ受け樋９が下流側に傾斜させて設けられていて、前記手動昇降装置４を駆動させると、スピンドル１０，１０を介して昇降せしめられ、除塵レーキ５の端部はレーキガイド１１，１１によって案内されるように構成されている。
【００１９】
図１及び図２の状態において、水位が低い通常時は、ゴミを含んだ下水は合流管渠１ａから汚水流出管渠１ｂへ流出するが。雨天時に増水して水位が上ると下水は越流堰１ｄを越えて、放流管渠１ｃに流入する。その場合に下水に含まれる微細ゴミは越流堰１ｄの前面に複数のスクリーンバー３ａを密に併設された除塵スクリーン３により阻止されて放流管渠１ｃへ流入することはない。
【００２０】
そしてスクリーンバー３ａに付着したゴミは、手動昇降装置４により除塵レーキ５を上昇させると、除塵レーキ５の上方に傾斜している上段レーキ部５ａがスクリーンバー３aに付着したゴミをゴミ受け樋９上に掻き落し、掻き落されたゴミは水流によりゴミ受け樋９に沿って下流方向へ流される。
【００２１】
この場合、ゴミ受け樋９は下流側に傾斜して設けてあるため除塵レーキ５が水中から水面上に上昇する際に、ゴミが下流へと流されやすい構造と成っている。又、ゴミ受け樋９の側壁により除塵スクリーン３側への水流を防ぐので、ゴミ受け樋９内のゴミが流されて、再びスクリーンバー３ａに付着し難い。
【００２２】
又、除塵レーキ５が上昇した後に、スクリーンバー３ａに付着したゴミは、除塵レーキ５の下降時に下段レーキ部５ｂにより掻き落される。
【００２３】
スクリーンバー３ａは下端をバーブラケット６に固定し、上端にナット８を螺合してバー保持桁７に張設する構造としたので、ナット８を回転させることによりスクリーンバー３ａの張力を調節して除塵スクリーン３を構成するスクリーンバー３ａの間隔を均一に保つことができるので、除塵スクリーン３は一定の細かいメッシュを保つことができる。
【図面の簡単な説明】
【００２４】
【図１】本発明の一実施例を示す横断正面図。
【図２】図１のＡ−Ａ線断面図。
【図３】図１のＢ−Ｂ線の一部截断面図。
【図４】図３のＸ部の拡大説明図。
【図５】図２の一部拡大説明図。
【図６】バーブラケットの構造を示す拡大平面図。
【符号の説明】
【００２５】
１    雨水吐室
１ａ  合流管渠
１ｂ  汚水流出管渠
１ｃ  放流管渠
１ｄ  越流堰
２    往復式除塵機
３    除塵スクリーン
３ａ  スクリーンバー
４    手動昇降装置
５    除塵レーキ
５ａ  上段レーキ部
５ｂ  下段レーキ部
６    バーブラケット
７    バー保持桁
７ａ  透孔
８    ナット
９    ゴミ受け樋
１０  スピンドル
１１  レーキガイド
【図３】
0004573122.tif 000002
【図６】
0004573122.tif 000003
【図１】
0004573122.tif 000004
【図２】
0004573122.tif 000005
【図４】
0004573122.tif 000006
【図５】
0004573122.tif 000007